(57)【要約】【課題】  現場でドア額縁を組み立てる作業だけで、良好に収納棚を設けることができるドア額縁構造を提供する。【解決手段】  浴室１２側のドア枠１４と脱衣室（隣室）１６側の脱衣室（隣室）壁面１７を繋ぐドア額縁１であって、ドア額縁１は、左右同一幅の一対の縦枠と、縦枠よりも幅広の上枠３とを、ドア枠１４側の面を揃えて枠組みして、ドア枠１４と脱衣室（隣室）壁面１７間に固定することにより、上枠３が脱衣室（隣室）１６側へ突出して棚３Ａを形成するように構成する。【選択図】  図２
2005226271.tif 000002
【特許請求の範囲】
【請求項１】
ドア枠と隣室壁面とを繋ぐドア額縁であって、該ドア額縁は、左右同一幅の縦枠と、該縦枠より幅広の上枠とをドア枠側の面を揃えて門形に枠組みして、前記ドア枠と隣室壁面間に固定することにより、前記上枠が隣室側へ突出して棚を形成するように構成したことを特徴とするドア額縁構造。
【請求項２】
ドア縦枠と隣室壁面とを繋ぐドア額縁であって、該ドア額縁は、左右の縦枠と上枠とを門形に枠組みすると同時に、上枠に垂直な背板と上枠に平行な棚板をＬ状に上枠下面に固定することで、隣室側に開口した収納空間を形成せしめて、左右の縦枠は前記ドア縦枠と隣室壁面間に固定され、上枠は隣室壁面に、棚板はドア枠の上枠に固定されることを特徴とするドア額縁構造。
【請求項３】
前記棚板が幅広に形成されて隣室側へ突出していることを特徴とする請求項２に記載のドア額縁構造。
【請求項４】
隣室床面に設置される上面開口の床下収納部材のフランジの一辺を水平に延長させてドア枠の下枠に連結し、前記延長されたフランジ上に前記門形に枠組みしたドア額縁を設置することを特徴とする請求項１または請求項２または請求項３に記載のドア額縁構造。
【請求項５】
前記幅広の上枠または棚板の左右の小口面に、エンドキャップを取り付けるとともに、左右のエンドキャップ間に落下防止バーを設けたことを特徴とする請求項１または請求項２または請求項３または請求項４に記載のドア額縁構造。
【請求項６】
前記幅広の上枠または棚板の下面に、照明を取り付けたことを特徴とする請求項１または請求項２または請求項３または請求項４に記載のドア額縁構造。
【発明の詳細な説明】
【技術分野】
【０００１】
本発明は、ドア枠と脱衣室壁面とを繋ぐドア額縁の構造に関するものである。
【背景技術】
【０００２】
従来、特許文献１に開示されているように、浴室のドア枠の上部に棚を形成した構造が存在する。
また、特許文献２に開示されているように、ドア枠の上方の壁面に収納棚を設けた構造が存在する。
【特許文献１】特開平５−７６４６１号公報
【特許文献１】実開昭５７−６４３１号公報
【発明の開示】
【発明が解決しようとする課題】
【０００３】
従来の特許文献１の構造は、ドア枠に棚が設けられているものであるため、専用のドア枠を製造する必要があり、また、棚の寸法はドア枠の寸法によって決まってしまうという問題点があった。
【０００４】
また、従来の特許文献２の構造では、別途壁面に収納棚を取り付ける作業が必要となるという問題点があった。
【課題を解決するための手段】
【０００５】
本発明は上記従来の問題点に鑑み案出したものであって、組み立てる作業だけで収納棚を形成させることのできるドア額縁構造を提供せんとするものであり、請求項１は、ドア枠と隣室壁面とを繋ぐドア額縁であって、該ドア額縁は、左右同一幅の縦枠と、該縦枠より幅広の上枠とをドア枠側の面を揃えて門形に枠組みして、前記ドア枠と隣室壁面間に固定することにより、前記上枠が隣室側へ突出して棚を形成するように構成したことである。
【０００６】
また請求項２は、ドア縦枠と隣室壁面とを繋ぐドア額縁であって、該ドア額縁は、左右の縦枠と上枠とを門形に枠組みすると同時に、上枠に垂直な背板と上枠に平行な棚板をＬ状に上枠下面に固定することで、隣室側に開口した収納空間を形成せしめて、左右の縦枠は前記ドア縦枠と隣室壁面間に固定され、上枠は隣室壁面に、棚板はドア枠の上枠に固定されることである。
【０００７】
また請求項３は、前記棚板が幅広に形成されて隣室側へ突出していることである。
また請求項４は、隣室床面に設置される上面開口の床下収納部材のフランジの一辺を水平に延長させてドア枠の下枠に連結し、前記延長されたフランジ上に前記門形に枠組みしたドア額縁を設置することである。
【０００８】
また請求項５は、前記幅広の上枠または棚板の左右の小口面に、エンドキャップを取り付けるとともに、左右のエンドキャップ間に落下防止バーを設けたことである。
また請求項６は、前記幅広の上枠または棚板の下面に、照明を取り付けたことである。
【発明の効果】
【０００９】
本発明のドア額縁は、左右同一幅の縦枠と、縦枠より幅広の上枠とをドア枠側の面を揃えて門形に枠組みして、ドア枠と隣室壁面間に固定することにより、上枠が隣室側へ突出して棚を形成するように構成したことにより、ドア額縁の上枠を隣室壁面より隣室側へ突出させて収納棚とすることができ、ドア額縁を組み立てる通常の作業だけで収納棚を設けることができ、しかも、この収納棚はドア額縁の上枠の上に形成されるため、この収納棚には人目に触れたくないものを良好に保管しておくことができるものとなる。
【００１０】
また、ドア縦枠と隣室壁面とを繋ぐドア額縁であって、ドア額縁は、左右の縦枠と上枠とを門形に枠組みすると同時に、上枠に垂直な背板と上枠に平行な棚板をＬ状に上枠下面に固定することで、隣室側に開口した収納空間を形成せしめて、左右の縦枠はドア縦枠と隣室壁面間に固定され、上枠は隣室壁面に、棚板はドア枠の上枠に固定されることにより、ドア額縁に背板と棚板をＬ字状に組み付けるのみの簡単な作業で収納空間を形成させることができ、デッドスペースとなっている空間に良好に収納空間を形成させて、人目に触れたくないものを良好に保管できるものとなる。また、隣室の天井が高くない場合には背板を切断して高さ調整することができる。
【００１１】
また、棚板が幅広に形成されて隣室側へ突出していることにより、ドア枠と隣室壁面間の奥行き幅が小さい場合でも、棚板が隣室側へ突出して、十分な幅を有する収納空間を形成させることができるものとなる。
【００１２】
また、隣室床面に設置される上面開口の床下収納部材のフランジの一辺を水平に延長させてドア枠の下枠に連結し、延長されたフランジ上に門形に枠組みしたドア額縁を設置することにより、隣室床面に床下収納部材を設けて床下収納を形成させることができるとともに、この床下収納部材に延長させたフランジ上にドア額縁を組み付けて、ドア額縁の下枠を形成させることができるものとなる。
また、床下収納部材の延長させたフランジをドア枠に直接固定することで、水密性，耐久性が向上したものとなる。
【００１３】
また、幅広の上枠または棚板の左右の小口面に、エンドキャップを取り付けるとともに、左右のエンドキャップ間に落下防止バーを設けたことにより、エンドキャップを設けることで、ドア額縁開口に合わせて上枠や棚板を切断して調整することができ、この切断面を良好にエンドキャップで化粧処理することができ、見栄えが向上したものとなり、また落下防止バーを取り付けることで安全な収納棚になる。
【００１４】
また、幅広の上枠または棚板の下面に、照明を取り付けたことにより、隣室から浴室への出入口部分が暗がりとなる場合でも、明るく照明できて、安全に出入りができるものとなる。
【実施例】
【００１５】
以下、本発明の実施例を図面に基づいて説明する。
図１は、第１実施例のドア額縁の斜視図を示すものである。
ドア額縁１は、同一幅の左右一対の縦枠２，２と、縦枠２よりも幅広の上枠３と、縦枠２と同一幅の下枠４を、現場で方形状に枠組みして設置されるものである。
その設置構造は、図２の縦断面拡大構成図で、また図３の平面拡大構成図で示す。
【００１６】
図２及び図３に示すように、浴室１２のドア１３はドア枠１４内に設けられ、ドア枠１４はアルミ製で、一対の縦枠１４ａ，１４ａと、上枠１４ｂと、下枠１４ｃで方形状に形成されており、このドア枠の縦枠１４ａ，１４ａに、ビス１５，１５を介し、それぞれドア額縁１の縦枠２，２の幅方向一端側が固定されるものであり、また、ドア枠の上枠１４ｂには、ドア額縁１の上枠３の幅方向一端側がビス１５で固定され、ドア枠の下枠１４ｃには、ドア額縁の下枠４の幅方向一端側がビス１５を介し固定されるものである。
【００１７】
また、脱衣室１６側の脱衣室壁面１７には、ドア額縁１を構成する縦枠２，２，上枠３及び下枠４の幅方向他端側が接着で固定されるものであり、ドア額縁１は設置状態では、浴室１２側のドア枠１４と、脱衣室１６側の脱衣室壁面１７とを繋ぎ、浴室１２と脱衣室１６間に形成される間仕切空間１８内に設置されるものである。
なお、ドア額縁１の一対の縦枠２，２と上枠３と下枠４の浴室２側の面は面一状となるように設置され、本例では上枠３が幅広に形成されているため、上枠３は設置状態で、脱衣室１６側に水平状に突出し、この突出した部分が棚３Ａを形成することとなり、この棚３Ａ上に、普段は使用しない人目に触れたくないもの等を良好に保管できるものとなる。
【００１８】
なお、ドア額縁１は現場で組み立てられるものであり、ドア枠１４の寸法がどのようなものでも、現場でドア枠１４に合わせて、各構成部材２，３，４を切断して寸法調節して組み立てることができるものである。
従って、現場でドア額縁１を組み立てる通常の作業だけで、良好に棚３Ａを形成することができ、別途壁面１７等に設置する必要がなく、作業が容易なものとなり、専用の寸法のものを予め製造しておく必要もない。
【００１９】
次に、図４で示すドア額縁１は、第２実施例を示すものであり、図５では、その要部を拡大して示す。
図４及び図５のドア額縁１においては、左右の縦枠２，２と、上枠３と、下枠４が同一幅寸法となっており、上枠３の浴室１２側に垂直に取り付けられる背板５と、背板５の下端で上枠３と平行状に取り付けられる棚板６を設けて、背板５と棚板６をＬ字状にして、上枠３の下面に固定することで、脱衣室１６側に開口した収納空間Ｓを上枠３の下方に形成させることができ、現場でドア額縁１を枠組みして組み立てる作業時に、背板５及び棚板６を同時に組み付けて、良好に収納空間Ｓを形成させることができ、作業が容易なものとなる。
【００２０】
なお、図６及び前記図３に示すように、ドア額縁１の左右の縦枠２，２は、ドア枠１４の縦枠１４ａ，１４ａに、ビス１５，１５を介し、それぞれ幅方向一端側が固定されて、ドア縦枠１４ａと脱衣室壁面１７間に固定され、棚板６は、ドア枠の上枠１４ｂに幅方向一端側がビス１５で固定され、上枠３は脱衣室壁面１７に固定され、下枠４の幅方向一端側がビス１５を介しドア枠の下枠１４ｃに固定されるものである。
また、脱衣室１６の天井が高くない場合には背板５を切断して高さ調整することができる。
なお、背板５と棚板６を予めＬ字状に一体化させ、現場に搬入すれば、より容易に収納空間Ｓを形成させることができるものとなる。
このような収納空間Ｓは、デッドスペースとなっている間仕切空間１８内に形成されることとなり、間仕切空間１８内を利用して、人目に触れたくないもの等を良好に保管できるものとなる。
【００２１】
次に、図７で示すものは更なる変更例であり、図７では、幅の広い棚板６を用いて組み立てたものであり、棚板６は予め背板５と一体でＬ字状に形成させておけば、より容易に組み立てて収納空間Ｓを形成させることができるものとなる。
このような構造では、間仕切空間１８の奥行き幅が小さい場合でも、棚板６が脱衣室１６側に突出して、十分な収納空間Ｓを確保することができるものとなる。
【００２２】
次に、図８に分解図で示すものは、ドア額縁１を、下枠４のない門形に枠組みし、ドア額縁１の下端を、床下収納部材１０の延長フランジ１０ｃ上に載せて設置し、延長フランジ１０ｃを下枠として用いる場合である。
なお、上枠３の下方には、背板５と棚板６からなる収納空間Ｓが形成される。
【００２３】
なお、図９では、設置状態の断面拡大図を示すが、床下収納部材１０は樹脂で形成されており、上面が開口した収納凹部１０ａが凹み状に形成され、収納凹部１０ａの上面側は外側へ突出する外周フランジ１０ｂとなっているが、この外周フランジ１０ｂの一辺が水平に延長されて、延長フランジ１０ｃを形成しており、この延長フランジ１０ｃがドア枠の下枠１４ｃにビスを介して直接固定されるものである。
従って、このような床下収納部材１０を用いることで、脱衣室１６の床面に良好に床下収納を形成させることができ、同時に、この床下収納部材の延長フランジ１０ｃを利用して、その上に門形状にドア額縁１を組み付けることができるものとなる。
なお、樹脂製の延長フランジ１０ｃが直接ドア枠１４に固定されるため、水密性，耐久性に優れたものとなる。
【００２４】
なお、図１０で上部を拡大して示すドア額縁１は、図７に示した棚板６の左右の小口面にそれぞれエンドキャップ７，７を取り付け、この左右のエンドキャップ７，７間に、門形状に落下防止バー８を設けたものである。
現場で棚板６を切断して寸法調整する際に、切断した小口面が露出すると見栄えが悪くなるが、エンドキャップ７，７を取り付けることで見栄え性が向上したものとなり、更に落下防止バー８を設けることで、棚板６上に物を置いて収納する際にも、収納物の落下が防がれて安全なものとなる。
【００２５】
なお、図１に示したような幅広の上枠３の左右の小口面にも、エンドキャップ７，７を取り付けたり、また、この部分に落下防止バー８を設けて構成しても良い。
更に図１０では、棚板６の下面に照明ランプ９が設けられており、照明ランプ９により浴室１２と脱衣室１６間の出入口を良好に照明して、安全に出入りできるものとなる。
なお、ドア額縁１を構成する各縦枠２，２，上枠３，下枠４には、それぞれスペーサー２ａ，３ａ，４ａを一体化させておくことができる。
なお、本例では、ドア枠１４と、脱衣室１６側の脱衣室壁面１７とを繋ぐドア額縁１について例示しているが、ドア枠１４と、隣室（リビングとか廊下など）とを繋ぐドア額縁１にも同様な構造を採用できるものである。
【図面の簡単な説明】
【００２６】
【図１】第１実施例のドア額縁の斜視構成図である。
【図２】図１のドア額縁の設置状態の縦断面拡大構成図である。
【図３】図２の平面拡大構成図である。
【図４】第２実施例のドア額縁の斜視構成図である。
【図５】図４の要部拡大構成図である。
【図６】図４のドア額縁の設置状態の縦断面拡大構成図である。
【図７】第３実施例のドア額縁の斜視構成図である。
【図８】第４実施例のドア額縁と床下収納部材の分解斜視構成図である。
【図９】図８のドア額縁と床下収納部材の設置状態の縦断面拡大構成図である。
【図１０】第５実施例のドア額縁の上部の拡大斜視構成図である。
【符号の説明】
【００２７】
１  ドア額縁
２  縦枠
３  上枠
３Ａ  棚
４  下枠
５  背板
６  棚板
７  エンドキャップ
８  落下防止バー
９  照明ランプ
１０  床下収納部材
１０ａ  収納凹部
１０ｃ  延長フランジ
１２  浴室
１３  ドア
１４  ドア枠
１４ａ  ドア枠の縦枠
１４ｂ  ドア枠の上枠
１４ｃ  ドア枠の下枠
１５  ビス
１６  脱衣室
１７  脱衣室壁面
１８  間仕切空間
Ｓ  収納空間
【図１】
2005226271.tif 000003
【図２】
2005226271.tif 000004
【図３】
2005226271.tif 000005
【図４】
2005226271.tif 000006
【図５】
2005226271.tif 000007
【図６】
2005226271.tif 000008
【図７】
2005226271.tif 000009
【図８】
2005226271.tif 000010
【図９】
2005226271.tif 000011
【図１０】
2005226271.tif 000012